(57)【要約】【課題】  新規の遊技機の導入においては簡単に設置することができ、既設の遊技機に後から簡単に取り付けができることで、大きな労力を要することなく遊技機の移動作業を行うことができる遊技機の遊技情報表示システムを提供することを目的とする。【解決手段】  遊技機に関する情報を表示する表示装置と、前記遊技機又は前記遊技機の周辺の壁面に固定支持され、前記表示装置を着脱可能に設置するためのベース部材とを備え、前記表示装置は、前記遊技機に関する情報を表示する表示部と、前記遊技機に関する情報のデータを記憶するための記憶部と前記遊技機から入力された情報、又は前記記憶部に格納された情報に基づいて、前記表示部に表示する画像又は動画データを作成する情報処理部とを備える。【選択図】        図１
2020171579.tif 000002
【特許請求の範囲】
【請求項１】
遊技機に関する情報を表示する表示装置と、
前記遊技機又は前記遊技機の周辺の壁面に固定支持され、前記表示装置を着脱可能に設置するためのベース部材とを備え、
前記表示装置は、
前記遊技機に関する情報を表示する表示部と、
前記遊技機に関する情報のデータを記憶するための記憶部と
前記遊技機から入力された情報、又は前記記憶部に格納された情報に基づいて、前記表示部に表示する画像又は動画データを作成する情報処理部とを備えることを特徴とする遊技情報表示システム。
【請求項２】
前記ベース部材は、前記表示装置に接続される配線を通すための配線口が形成されていることを特徴とする請求項１に記載の遊技情報表示システム。
【請求項３】
前記表示装置は、前記表示部に表示される情報が切り替えるための釦スイッチを備えることを特徴とする請求項１又は２に記載の遊技情報表示システム。
【請求項４】
前記表示装置は、操作者が前記表示部に触れることで、前記表示部に表示される情報が切り替えることができるように、前記表示部がタッチパネルであることを特徴とする請求項１〜３のいずれか一項に記載の遊技情報表示システム。
【請求項５】
前記表示装置は、外部機器を接続して、前記記憶部に格納されたデータの入出力を行うための外部機器接続端子を有することを特徴とする請求項１〜４のいずれか一項に記載の遊技情報表示システム。
【請求項６】
前記表示装置は、外部機器と無線通信によって、前記記憶部に格納されたデータの入出力を行うための無線送受信部を有することを特徴とする請求項１〜５のいずれか一項に記載の遊技情報表示システム。
【請求項７】
前記表示部は、遊技機に関する情報と共に、遊技場の従業員を呼ぶための呼出し画像又は動画を表示することを特徴とする請求項１〜６のいずれか一項に記載の遊技情報表示システム。
【請求項８】
前記表示部は、前記遊技機に関する情報と共に、遊技場の広告用の画像又は動画を表示することを特徴とする請求項１〜７のいずれか一項に記載の遊技情報表示システム。
【発明の詳細な説明】
【技術分野】
【０００１】
本発明は、表示システムに関し、特にパチンコやパチスロといった遊技機の遊技情報表示システムに関する。
【背景技術】
【０００２】
従来のパチンコやパチスロ等の遊技機は、それぞれの遊技機に遊技履歴表示や遊技場の従業員を呼び出すための呼出しランプが備えられている。従来、遊技情報表示システムは、遊技機と一体として構成され、大当たり回数等の予め定められた特定の情報のみしか表示できないものが多かった。
【０００３】
しかし、近年では液晶ディスプレイのような特定の情報のみの表示に限られず、任意の形式で様々な情報を画像や動画として表示できる小型の表示装置が普及しており、設置する遊技機の機種等に依存せず様々な情報が表示できる汎用性の高い表示装置が期待されている。例えば、下記特許文献１には、液晶表示装置を用いた遊技情報表示が記載されている。
【先行技術文献】
【特許文献】
【０００４】
【特許文献１】特開２０１５−１６３２７７号公報
【発明の概要】
【発明が解決しようとする課題】
【０００５】
例えば、パチンコの遊技情報には、大当たり回数、継続回数、セーフ玉数、アウト玉数といった多くの要素が存在する。これらの要素は、遊技者にとっては、大当たりを引きやすい遊技機であるかどうかを判別するための情報となるため、過去の履歴も含めて多くの情報が開示されることが望まれている。なお、パチスロにおいても、大当たり回数、継続回数といった、パチンコの遊技情報と類似するものや、パチスロ独特の要素が存在するが、遊技者が遊技情報を確認する目的はほぼ同じと考えられる。
【０００６】
遊技場においては、遊技場の従業員が、状態確認に必要な要素を確認することで各遊技機の状態を一目で確認することができ、メンテナンスの時期や遊技機の設定状態等を把握しやすくなる。従って、遊技場においても、できるだけ多く遊技情報が表示装置に表示されることが望まれている。
【０００７】
一般的な遊技情報の表示装置は、遊技者が各遊技機の情報を個別に確認できるようにするため、各遊技機に対して表示装置１台ずつが紐付けけされて設置されている。つまり、表示装置は、各遊技機に対応するように設置されており、対応する遊技機の遊技情報は、遊技機や表示装置等が備える記憶部に格納されている。
【０００８】
遊技場では、遊技者の遊技機選びの傾向に応じて、新しい遊技機を導入や、遊技場内での遊技機の設置場所の変更が度々行われる。新しい遊技機を導入や、遊技場内での遊技機の設置場所の変更が行われると、それに応じて遊技機に紐付けされている表示装置も移動、若しくは新たに設置された遊技機に対応するように、記憶部に格納されている情報を更新しなければならなくなる。
【０００９】
ところが、遊技情報の表示装置は、遊技機に直接接続されているものや、遊技機に組み込まれているものはほとんどなく、遊技機とは異なる場所、例えば、上記特許文献１に記載されているように、遊技機とは別に遊技機の上部のスペースに設置される。従って、遊技機を移動する場合、紐付けされている表示装置も一緒に移動させる必要があり、例えば、表示装置がネジで壁面に固定されている場合には、移動する全ての遊技機に対応した表示装置を固定しているネジを外し、移動後に再度ネジ固定しなければならず、多大な労力を要してしまう。また、表示装置は移動せずに、記憶部に格納された情報のみを入れ替えるという方法もあるが、全ての表示装置について移動前と移動後の配置関係を確認して格納情報の更新を行わなければならないため、作業が煩雑になり、情報の更新に失敗してしまう可能性が大きくなる。
【００１０】
本発明は、上記課題に鑑み、新規の遊技機の導入においては簡単に設置することができ、既設の遊技機に後から簡単に取り付けができることで、大きな労力を要することなく遊技機の移動作業を行うことができる遊技機の遊技情報表示システムを提供することを目的とする。
【課題を解決するための手段】
【００１１】
本発明の遊技情報表示システムは、
遊技機に関する情報を表示する表示装置と、
前記遊技機又は前記遊技機の周辺の壁面に固定支持され、前記表示装置を着脱可能に設置するためのベース部材とを備え、
前記表示装置は、
前記遊技機に関する情報を表示する表示部と、
前記遊技機に関する情報のデータを記憶するための記憶部と
前記遊技機から入力された情報、又は前記記憶部に格納された情報に基づいて、前記表示部に表示する画像又は動画データを作成する情報処理部とを備えることを特徴とする。
【００１２】
遊技機に関する情報を表示する表示装置は、ベース部材を介して遊技機又は遊技機周辺の壁面に設置される。表示装置とベース部材は、着脱可能に構成されている。例えば、ベース部材が表示装置の側面を把持するものや、ベース部材が爪部を構成し、表示装置の一部と係合して連結させることができる。
【００１３】
ベース部材は、遊技機又は遊技機周辺の壁面に設置され、表示装置を保持する。ベース部材と表示装置は、着脱可能であるが、ベース部材は、遊技機又は遊技機周辺の壁面に固定されていても、着脱可能に設置されていても構わない。なお、ベース部材は、表示装置を保持している状態で、表示装置が作業扉の開閉の邪魔をせず、かつ、遊技機で遊ぶ遊技者の邪魔とならない位置となるように設置されることが好ましい。
【００１４】
表示装置は、遊技機に関する情報を表示するための表示部と、遊技機に関する情報を記憶するための記憶部を備える。表示部は、表示させるデータに応じて柔軟な表示ができるものが好ましい。表示部に用いられるものとして、例えば、液晶ディスプレイ、有機ＥＬディスプレイ、ＬＥＤドット表示、ＶＦＤ等がある。
【００１５】
記憶部は、表示装置が紐付けされている遊技機の遊技情報のデータを格納している。また、記憶部は、特定のデータ、例えば、過去一週間における一日毎の大当たり回数や出玉数等の履歴データを格納していても構わない。履歴データが格納されていることで、表示装置は、表示部に配列表に履歴データを配列したものや、グラフのように推移データを表字させることができる。
【００１６】
表示装置の表示部は、設置スペースと遊技者の遊技中の視野等を考慮して、遊技機に対して適切な大きさで構成されることが好ましい。一例として、表示部の大きさは、横幅を１とした場合の縦幅が０．５〜０．８の範囲であることが好ましく、また、表示装置の大きさは、遊技機本体の横幅を１とした場合の表示部の横幅が０．２〜０．３の範囲であることが好ましい。なお、当該構成は、表示装置の構成の一例であって、表示装置や表示部の大きさの関係を限定するものではない。遊技機の視野性を考慮し、表示装置及び表示装置の大きさや形状はどのような構成であっても良く、表示範囲をどのように拡張されても構わない。
【００１７】
上述の構成とすることで、表示装置は新しい遊技機の導入や、遊技機の設置場所の移動が生じた場合、移動する遊技機に紐付けされている表示装置をベース部材から取外し、遊技機の移動先に取り付けてあるベース部材に装着するだけで、取付作業を完了させることができる。遊技機と表示装置の移動後は、遊技機と表示装置が紐付けされたままであり、記憶部に格納されたデータを引き続き利用できるため、移動前の状態を維持したままの遊技機を使用することができる。
【００１８】
上述の遊技情報表示システムは、
前記ベース部材は、前記表示装置に接続される配線を通すための配線口が形成されていても構わない。
【００１９】
ベース部材に設けられる配線口は、表示装置に電力を供給するための電源ケーブルや、遊技機からの各種データ出力の信号線等の配線経路を形成する。そのため、各種ケーブルが整理して配線され、煩雑な配置にならないように表示装置を設置することができ、表示装置を交換したり移動させたりする場合には、各種ケーブルの配線を検討しながら配置する必要がなくなる。
【００２０】
上述の遊技情報表示システムは、
前記表示装置は、前記表示部に表示される情報が切り替えるための釦スイッチを備えるものであっても構わない。
【００２１】
上述の遊技情報表示システムは、
前記表示装置は、操作者が前記表示部に触れることで、前記表示部に表示される情報が切り替えることができるように、前記表示部がタッチパネルであっても構わない。
【００２２】
釦スイッチは、遊技者や遊技場の従業員が、知りたい遊技機の情報を選択して表示部に表示させる機能を有する。釦スイッチは、複数備えられていてもよく、遊技者が各釦スイッチを押すと、それぞれ、出玉推移グラフを表示させる釦スイッチ、大当たりの継続回数を表示させる釦スイッチといった機能を設定される。
【００２３】
表示がタッチパネルである表示装置は、遊技者や遊技場の従業員が、表示部に表示された言葉や数値の位置を指で触れると、表示部に表示されている情報が、それらに関する情報に関するものに切り替わるものや、表示部に触れた状態で、表示部上で指を移動させることでも画面の切り替えや、表示の拡大縮小を変更できるものであってもよい。
【００２４】
上述のように、遊技機に関する情報は非常に多く、一つの画面で全てを表示しようとすると、巨大な表示装置が必要になる。しかしながら、遊技機の周辺には表示装置を配置できるスペースがあまりないため、表示装置は、小型であることが好ましい。そのため、表示装置は、所定の情報毎にまとめた画面を切り替えて表示することで、大型化することなくより多くの遊技機に関する情報を表示できる。
【００２５】
上述の構成とすることで、遊技者や遊技場の従業員が知りたい情報を選択して、表示部の表示内容を切り替えて表示させることができる。また、押すだけ、若しくはタッチするだけで確認したい情報の表示へと切り替えられるため、複雑な操作は要求されない。
【００２６】
上述の遊技情報表示システムは、
前記表示装置は、外部機器を接続して、前記記憶部に格納されたデータの入出力を行うための外部機器接続端子を有していても構わない。
【００２７】
上述の遊技情報表示システムは、
前記表示装置は、外部機器と無線通信によって、前記記憶部に格納されたデータの入出力を行うための無線送受信部を有していても構わない。
【００２８】
外部機器接続端子は、外部機器と直接、又は外部機器と接続するためのケーブル等と接続される。外部機器接続端子は、例えば、ＵＳＢ端子、ＬＡＮケーブル端子等である。また、外部機器は、例えば、遊技機の情報出力装置、ＵＳＢメモリやＳＤカード等の記録媒体、スマートフォンやタブレットといった携帯情報端末、さらには、他の表示装置等であっても構わない。
【００２９】
無線送受信部は、所定の通信規格の信号によって外部機器とデータの入出力を行う。通信規格は、例えば、Ｗｉ−ｆｉ、Ｂｌｕｅｔｏｏｔｈ（登録商標）、ＩＣ通信、赤外線通信等がある。
【００３０】
上述の構成とすることで、前記記憶部は、外部機器によってデータの読み出しや書き込みを行うことができるため、例えば、Ｗｉ−ｆｉによってデータサーバと遊技場に設置された全ての表示装置とを接続することができ、データの管理や情報のアップデート等を外部機器によって一括管理することができる。
【００３１】
また、他の表示装置と接続し、それぞれの記憶部に格納されているデータを相互に交換させることも可能である。そのため、遊技機を移動させ場合に、移動前の場所に設置されていた表示装置と、移動後の場所に設置されている表示装置とを接続させて、それぞれの記憶部に格納されているデータを入れ替えたり、一方の記憶部のデータを他方の記憶部に上書きしたりする操作が容易になる。
【００３２】
上述の遊技情報表示システムは、
前記表示部は、遊技機に関する情報と共に、遊技場の従業員を呼ぶための呼出し画像又は動画を表示しても構わない。
【００３３】
上述の遊技情報表示システムは、
前記表示部は、前記遊技機に関する情報と共に、遊技場の広告用の画像又は動画を表示しても構わない。
【００３４】
上述の構成とすることで、遊技情報表示システムとは呼出しランプを別途設置したり、遊技機周辺に広告を張り付けたり吊るしたりする必要がなくなる。従って、遊技機の周辺のスペースを確保することができ、遊技情報表示システムを配置しやすくなるため、さらに、少ない労力で遊技情報表示システムを設置することができる。
【発明の効果】
【００３５】
本発明によれば、新規の遊技機の導入においては簡単に設置することができ、既設の遊技機に後から簡単に取り付けができることで、大きな労力を要することなく遊技機の移動作業を行うことができる遊技機の遊技情報表示システムを提供することができる。
【図面の簡単な説明】
【００３６】
【図１】遊技情報表示システムの一実施形態の模式的な斜視図である。
【図２】図１の遊技情報表示システムの正面視を模式的に示す図面である。
【図３】図１の遊技情報表示システムの背面視を模式的に示す図面である。
【図４】表示装置の一実施形態の模式的な背面図である。
【図５】ベース部材の一実施形態の模式的な斜視図である。
【図６】表示装置の構成要素の一実施形態を模式的に示す図面である。
【図７Ａ】表示部に表示される遊技情報画像の例を示す図面である。
【図７Ｂ】表示部に表示される遊技情報画像の例を示す図面である。
【図７Ｃ】表示部に表示される遊技情報画像の例を示す図面である。
【図８】表示部に表示される遊技情報画像の表示切替の例を示す図面である。
【図９Ａ】遊技場の従業員を呼ぶための呼出し画像の一例である。
【図９Ｂ】遊技場の広告画像の一例である。
【図１０】表示装置の構成要素の別実施形態を模式的に示す図面である。
【発明を実施するための形態】
【００３７】
以下、本発明の遊技情報表示システムについて、図面を参照して説明する。
【００３８】
［システム構成］
まず、遊技情報表示システムの構成について説明する。図１は、遊技情報表示システム１の一実施形態の模式的な斜視図である。図１に示すように、遊技情報表示システム１は、表示装置１０と、ベース部材１１からなる。
【００３９】
図２は、図１の遊技情報表示システム１の正面視を模式的に示す図面である。図２に示すように、本実施形態における表示装置１０は、画面切り替え用の釦スイッチ１２が４つ設けられている。釦スイッチ１２は、表示装置１０の表示部１０ａに表示される情報の表示方法等を切り替えられるように設定されている。表示方法は、例えば、一覧表示やグラフ表等である。また、釦スイッチ１２は、他にも以前に表示していた画面に戻る機能や、遊技機の情報を最新状態に更新する機能等を設定することもできる。
【００４０】
遊技情報表示システム１は、表示装置１０を覆うようなカバー部材を備えていても構わない。カバー部材を備えることで、表示装置１０（特に表示部１０ａ）が不意な衝撃によって破損してしまうことを防止することができる。カバー部材は、表示部１０ａに表示された画像や動画が見えるように、少なくとも表示部１０ａ側を覆う面は透明な部材で構成される。カバー部材の透明な部分を構成するために用いられる素材としては、例えば、ポリカーボネード、アクリル、ポリスチレン、ポリエチレン、ポリ塩化ビニル、ガラスといった素材を用いることができる。
【００４１】
図３は、図１の遊技情報表示システム１の背面視を模式的に示す図面である。図３が示すように、表示装置１０は、ベース部材１１と連結するための連結部２０を備えている。ベース部材１１は、遊技機又はその周辺に固定され、表示装置１０の連結部２０と係合して表示装置１０を支持する。
【００４２】
本実施形態では、ベース部材１１は、遊技機又はその周辺にネジで固定されるようにネジ穴１１ａを備えているが、ベース部材１１は、例えば、接着剤、粘着テープ、マグネット等を用いて遊技機又はその周辺に固定されるものとしてもよい。また、本実施形態では、表示装置１０の長辺が横向きでベース部材１１と連結させる例を図示しているが、表示装置１０の長辺が縦向きでベース部材１１と連結させても構わない。さらには、表示装置１０とベース部材１１が連結した状態で、表示装置１０を縦向きと横向きを変更できる構成であっても構わない。
【００４３】
表示装置１０及び表示部１０ａは、上述の通り、遊技機に対して適切な大きさで構成されることが好ましい。本実施形態においては、表示装置１０の大きさは、横幅１３０ｍｍ、縦幅９０ｍｍ、表示部１０ａの大きさは、横幅９５ｍｍ、縦幅５５ｍｍとした。なお、一般的な遊技機、例えば、パチンコやパチスロの横幅は、約５００ｍｍで構成されている。つまり、表示部１０ａの大きさは、横幅を１とした場合の縦幅の比が０．５７であり、また、表示装置１０の大きさは、仮に遊技機本体の横幅が５００ｍｍとした場合、遊技機の横幅を１とした場合の表示装置１０の横幅に比が０．２６である。なお、上述の通り、当該構成は、表示装置１０の構成の一例であって、表示装置１０や表示部１０ａの大きさの関係を限定するものではない。遊技機の視野性を考慮し、表示装置１０及び表示装置１０の大きさや形状はどのような構成であっても良く、表示範囲をどのように拡張されても構わない。
【００４４】
図４は、表示装置１０の一実施形態の模式的な背面図である。これは、図３の遊技情報表示システム１からベース部材１１を外したものである。図４に示すように、表示装置１０の背面には、ベース部材１１を取り付けるための連結部２０と、表示装置１０に接続する配線（例えば、給電用の電源配線や外部機器との接続ケーブル等）を通すための配線口２０ａが設けられている。
【００４５】
また、図４に示すように、表示装置１０の背面には、給電用の電源端子２１や外部機器（遊技機、記憶装置、サーバ、ＰＣ等）と接続するための外部機器接続端子２２が設けられている。外部機器接続端子２２とは、例えば、ＵＳＢ端子やＬＡＮケーブル用の端子等である。また、表示装置１０は、遊技機等から出力される信号からの入力を外部機器（例えば、ホールコンピュータ等）に出力させるため、それぞれの端子間の接続や内部の信号経路を制御するためのフォトカプラやリレー出力回路を複数備えていても構わない。外部機器と接続して行う機能については、機能の説明にて後述される。
【００４６】
なお、表示装置１０の電源は、ＤＣ電源、家庭用のコンセントによるＡＣ１００Ｖ電源、ＡＣアダプタによって供給されるＡＣ２４Ｖ電源等のいずれの電源に対応するように構成されていてもよく、電源端子２１は、それぞれの給電方法に対応して構成される。
【００４７】
図５は、ベース部材１１の一実施形態の模式的な斜視図である。図５に示すように、ベース部材１１は、表示装置１０と連結するための爪部１１ｂが設けられている。爪部１１ｂは、連結部２０の連結溝２０ｂに挿入され、爪部１１ｂが係合することによって連結され、ベース部材１１の側面部を内側に押すことで、表示装置１０はベース部材１１から取り外される。
【００４８】
表示装置１０とベース部材１１は、着脱可能に取り付けられればよく、例えば、粘着テープやマグネット等を用いて連結されるものであって、爪部１１ｂを有しないものとしてもよい。さらには、ベース部材１１は、表示装置１０を載置するだけの台座や、表示装置１０を内部に収容するケース構造を有していてもよい。
【００４９】
また、ベース部材１１は、表示装置１０に接続する配線を通すための配線口１１ｃが設けられている。電源端子２１や外部機器接続端子２２に接続された各ケーブルは、各配線口（２０ａ，１１ｃ）を介して配線される。
【００５０】
さらに、ベース部材１１は、表示装置１０と連結した時に、表示部１０ａの面が、ベース部材１１が固定されている面に対して非平行に設置できる形状を呈している。ベース部材１１をこのような構成として、適切な向きに表示装置１０と連結させることで、遊技機の周辺に配置された表示装置１０の表示部１０ａが遊技者の方を向き、遊技者にとって見やすい配置をすることができる。なお、ベース部材１１と表示装置１０の連結部２０は、着脱可能な関節部材（例えば、球体関節形状等）やフレキシブルアームで構成され、自由自在に向きを変えられるものであっても構わない。
【００５１】
本実施形態においては、ベース部材１１の配線口１１ｃは、表示装置１０の配線口２０ａとは異なる形状で形成されており、ベース部材１１と表示装置１０が連結された時に、一部が重なるように連結されることで、表示装置１０に接続される配線が連絡できるように構成されているが、表示装置１０の配線口２０ａとベース部材１１の配線口１１ｃは同じ形状で構成されていても構わない。
【００５２】
また、連結部２０の配線口２０ａとベース部材１１の配線口１１ｃは、いずれも連結部２０及びベース部材１１の中央に形成されていなくても構わない。さらに、連結部２０の配線口２０ａとベース部材１１の配線口１１ｃは、複数備えられていても良く、使用していない配線口（２０ａ，１１ｃ）は、埃やゴミの侵入を防ぐための蓋を備えていてもよい。
【００５３】
上述の構成とすることで、表示装置１０は、遊技機の導入や配置場所の移動に際して、移動元に設置されているベース部材１１から取外して、移動先に設置されているベース部材１１に簡単に設置することができる。また、表示装置１０からケーブル類を取り外しても、ベース部材１１の配線口１１ｃに全てのケーブルが束ねられた状態で維持することができる。つまり、表示装置１０を取り外した位置に、別の場所に設置されていた表示装置１０を移動させる際には、再度配線の仕方を検討する必要が無い。従って、遊技場の従業員、労力を要することなく表示装置１０の移動や設置を容易に行うことができる。
【００５４】
［機能］
次に、遊技情報表示システム、特に表示装置の機能について説明する。図６は、表示装置１０の構成要素を模式的に示す図面である。図６に示すように、表示装置１０は、遊技機に関する情報を表示する表示部１０ａと、前記遊技機に関する情報のデータを記憶するための記憶部３０とを備える。なお、表示部１０ａは、説明のために図１や図２とは異なる大きさで表現されている。
【００５５】
表示装置１０は、紐付けされた遊技機から外部機器接続端子２２を介して入力される情報を記憶部３０に格納する。表示部１０ａが遊技機から入力された情報を、そのまま表示する設定となっている場合には、表示装置１０は、遊技機の情報を記憶部３０に格納しながら、予め設定されている表示方法に基づいた画像データを情報処理部３１が作成し、表示部１０ａに表示する。表示部１０ａが記憶部３０に格納された情報から、過去の情報や推移データを表示する設定となっている場合には、表示装置１０は、記憶部３０に格納された情報から、設定されている表示方法に基づいて履歴データや推移データに関する画像データを情報処理部３１が作成し、表示部１０ａに表示する。
【００５６】
ここで、上述の通り、表示装置１０の長辺が縦向きでベース部材１１と連結させることもできる。表示装置１０が設置されている向きに応じて、情報処理部３１が、表示部１０ａに表示する画像の向きを切り替える。表示装置１０が設置されている向きを識別する方法は、設置されている向きを自動で識別するものであってもよく、釦スイッチ１２や切替スイッチ等を操作して切り替えるものであってもよい。
【００５７】
遊技者や遊技場の従業員によって、いずれかの釦スイッチ１２が押されると、情報処理部３１が押された釦スイッチ１２の設定に従って、記憶部３０から情報を読み出し、表示する情報や形式の画像を作成し、表示部１０ａに表示させる。
【００５８】
図７Ａ乃至図７Ｃは、表示部１０ａに表示される遊技情報画像の一例を示す図面である。図７Ａは、本日データ（玉数）の集計結果を示す画像である。図７Ｂは、本日データ（差玉数）を時系列で示す画像であって、図７Ｃは９日前までのデータ（平均継続回数）の推移を示す画像である。これらは、遊技者や遊技場の従業員が対応する釦スイッチ１２を押すことで、相互に表示を切り替えることができる。図８は、表示部１０ａに表示される遊技情報画像の表示切替の例を示している。
【００５９】
記憶部３０は、外部機器に対して格納している情報を相互に入出力することもできる。例えば、外部機器接続端子２２にＵＳＢメモリを接続し、所定の操作を行うことで、記憶部３０に格納されているデータを、ＵＳＢメモリにコピーすることができ、ＵＳＢメモリのデータを記憶部３０に書き込みすることもできる。
【００６０】
上述のような機能を有することで、遊技者は過去のデータを確認して、どの遊技機が大当たりの出やすい遊技機かを確認することができる。また、遊技場の従業員は、出玉数や平均継続率等を確認して、遊技機のメンテナンスや配置位置の変更のタイミングを検討できるようになる。
【００６１】
また、記憶部３０に格納されたデータは、外部機器に出力したり、外部機器のデータを上書きしたりできるため、遊技機を移動させる際には、移動元の表示装置１０の記憶部３０に格納されたデータをＵＳＢメモリやサーバで読み出し、移動先の表示装置１０の記憶部３０に上書きすることで、表示装置１０を移動することなく、遊技機の状態を引き継がせることができる。
【００６２】
さらに、遊技者や遊技場の従業員は、遊技機の情報を表示装置１０からスマートフォンやタブレットにコピーし、過去のデータに基づいて遊技機を選んだり、メンテナンスを行う遊技機を選んだりすることができる。
【００６３】
［別実施形態］
以下、別実施形態について説明する。
【００６４】
〈１〉  上述の実施形態においては、表示部１０ａに表示されている画像又は動画を切り替えるための釦スイッチ１２が設けられているが、操作者が表示部１０ａに触れることで、表示部１０ａに表示される情報や画像や動画が切り替えられるように、表示部１０ａをタッチパネルで構成しても構わない。表示部１０ａをタッチパネルとすることで、釦スイッチ１２が不要となり、表示装置１０の大きさを維持したまま、表示部１０ａを大きくすることができ、遊技者に対して情報がより見えやすい表示をすることができる。
【００６５】
〈２〉  図９Ａは、遊技場の従業員を呼ぶための呼出し画像の一例である。図９Ｂは、遊技場の広告画像の一例である。表示装置１０は、上述の通り、液晶ディスプレイ、有機ＥＬディスプレイ、ＬＥＤドット表示、ＶＦＤ等の表示する情報や画像に制限が少ないディスプレイを採用できる。
【００６６】
従って、表示装置１０の記憶部３０に、予め遊技場の従業員を呼ぶための呼出し画像や遊技場の広告用の画像データや動画データを格納しておき、遊技者によって従業員を呼び出すための釦スイッチ１２が押された場合や、紐付けされた遊技機が一定時間以上操作されない状態が続いた場合に、これらの画像を表示するように設定されていても構わない。
【００６７】
〈３〉  図１０は、表示装置１０の構成要素の別実施形態を模式的に示す図面である。上述の実施形態において、表示装置１０は、記憶部３０に格納されたデータの入出力を行うための外部機器接続部を有しているが、図１０に示すように、本発明の遊技情報表示システム１は、外部機器と無線通信するための無線送受信部４０を備えていても構わない。また、無線通信を行う外部機器は、表示部１０ａの表示の切り替え等を操作するための専用リモコンであっても構わない。
【００６８】
〈４〉  表示部１０ａに表示される画像や動画は、遊技者や遊技場の従業員が一定時間操作しない場合に、所定の時間間隔で表示部１０ａに表示されている画像を切り替える機能を有していいても構わない。
【００６９】
〈５〉  表示装置１０は、周囲の他の遊技装置に紐付けされた表示装置１０に対して、有線又は無線の通信によって遊技情報を送信する機能を有していても構わない。例えば隣接して設置されている他の表示機に紐付けされた表示装置１０に当該遊技装置が大当たり状態であることを通知するものであっても構わない。他の表示装置１０と有線又は無線で接続することにより、大当たりや呼出し、不正などの信号を相互に通信し、他の遊技機の遊技者との間で大当たり演出の共有や、呼出しの順番等を確認することもできる。
【００７０】
さらに、表示装置１０は、照明演出機器や音響演出機器とも有線又は無線で接続されることにより、それぞれの機器と同期して画像や動画を表示させるものであってもよい。このような構成や制御機能を備えることで、大当たり時の演出のバリエーションを増やすことができ、呼出しも画像や動画だけでなく、音声による呼出しも可能となる。
【００７１】
〈６〉  上記各実施形態で図示した遊技情報表示システム１の構成はあくまで一例であり、本発明をかかる構成に限定する趣旨ではない。
【符号の説明】
【００７２】
１        ：    遊技情報表示システム
１０        ：    表示装置
１０ａ      ：    表示部
１１        ：    ベース部材
１１ａ      ：    ネジ穴
１１ｂ      ：    爪部
１１ｃ      ：    配線口
１２        ：    釦スイッチ
２０        ：    連結部
２０ａ      ：    配線口
２０ｂ      ：    連結溝
２１        ：    電源端子
２２        ：    外部機器接続端子
３０        ：    記憶部
３１        ：    情報処理部
４０        ：    無線送受信部
【図１】
2020171579.tif 000003
【図２】
2020171579.tif 000004
【図３】
2020171579.tif 000005
【図４】
2020171579.tif 000006
【図５】
2020171579.tif 000007
【図６】
2020171579.tif 000008
【図７Ａ】
2020171579.tif 000009
【図７Ｂ】
2020171579.tif 000010
【図７Ｃ】
2020171579.tif 000011
【図８】
2020171579.tif 000012
【図９Ａ】
2020171579.tif 000013
【図９Ｂ】
2020171579.tif 000014
【図１０】
2020171579.tif 000015